【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
支持体上に電荷発生層及び電荷輸送層をこの順に積層してなる電子写真感光体において、
該電荷輸送層が、電荷輸送物質及びバインダー樹脂を含有し、
該バインダー樹脂が、下記式（ＰＡ）で示される繰り返し構造単位を有するポリアリレート樹脂であり、
【化１】
2005241974.tif 000001
（式（ＰＡ）中、Ｒ１〜Ｒ８は、それぞれ独立して、水素原子、炭素数１〜３のいずれかの置換または無置換のアルキル基、置換または無置換のフェニル基、または、炭素数１〜３のいずれかの置換または無置換のアルコキシ基を示す。ただし、Ｒ１〜Ｒ４のうち少なくとも１つはアルキル基を示す。Ｘは、単結合、酸素原子、硫黄原子、または、
【化２】
2005241974.tif 000002
を示す。Ｒ９及びＲ１０は、それぞれ独立して、水素原子、炭素数１〜３のいずれかの置換または無置換のアルキル基、置換または無置換のアリール基、または、Ｒ９とＲ１０が結合することによって形成されるアルキリデン基を示す。）
該電荷輸送物質のガラス転移温度（Ｔｇ１）及び該バインダー樹脂のガラス転移温度（Ｔｇ２）が、下記式（Ａ）を満たす
−４０（℃）≦（Ｔｇ２−Ｔｇ１）≦５５（℃）      （Ａ）
ことを特徴とする電子写真感光体。
【請求項２】
前記電荷輸送物質のガラス転移温度（Ｔｇ１）及び前記バインダー樹脂のガラス転移温度（Ｔｇ２）が、下記式（Ｂ）を満たす
−２０（℃）≦（Ｔｇ２−Ｔｇ１）≦４０（℃）      （Ｂ）
請求項１に記載の電子写真感光体。
【請求項３】
前記電荷輸送物質のガラス転移温度（Ｔｇ１）が１４０℃以上である請求項１または２に記載の電子写真感光体。
【請求項４】
前記電荷輸送物質が、下記式（１）で示される繰り返し構造単位を有している請求項１〜３のいずれかに記載の電子写真感光体。
【化３】
2005241974.tif 000003
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【化４】
2005241974.tif 000004
【化５】
2005241974.tif 000005
【化６】
2005241974.tif 000006
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【請求項５】
前記電荷輸送物質の分子量または重量平均分子量（Ｍｗ）が１５００以上５５００以下である請求項１〜４のいずれかに記載の電子写真感光体。
【請求項６】
前記ポリアリレート樹脂が、Ｒ１及びＲ２にそれぞれメチル基を有する請求項１〜５のいずれかに記載の電子写真感光体。
【請求項７】
前記電荷輸送物質のガラス転移温度（Ｔｇ１）及び前記バインダー樹脂のガラス転移温度（Ｔｇ２）が、下記式（Ａ）’を満たす
２（℃）≦（Ｔｇ２−Ｔｇ１）≦５２（℃） （Ａ）’
ことを特徴とする電子写真感光体。
【請求項８】
請求項１〜７のいずれかに記載の電子写真感光体と、帯電手段、現像手段およびクリーニング手段からなる群より選ばれた少なくとも１つの手段とを一体に支持し、電子写真装置本体に着脱自在であることを特徴とするプロセスカートリッジ。
【請求項９】
請求項１〜７のいずれかに記載の電子写真感光体、帯電手段、露光手段、現像手段および転写手段を有することを特徴とする電子写真装置。
【手続補正２】
【補正対象書類名】明細書
【補正対象項目名】０００６
【補正方法】変更
【補正の内容】
【０００６】
本発明は、
［１］支持体上に電荷発生層及び電荷輸送層をこの順に積層してなる電子写真感光体において、
該電荷輸送層が、電荷輸送物質及びバインダー樹脂を含有し、
該バインダー樹脂が、下記式（ＰＡ）で示される繰り返し構造単位を有するポリアリレート樹脂であり、
【手続補正３】
【補正対象書類名】明細書
【補正対象項目名】０００８
【補正方法】変更
【補正の内容】
【０００８】
（式（ＰＡ）中、Ｒ１〜Ｒ８は、それぞれ独立して、水素原子、炭素数１〜３のいずれかの置換または無置換のアルキル基、置換または無置換のフェニル基、または、炭素数１〜３のいずれかの置換または無置換のアルコキシ基を示す。ただし、Ｒ１〜Ｒ４のうち少なくとも１つはアルキル基を示す。Ｘは、単結合、酸素原子、硫黄原子、または、
【手続補正４】
【補正対象書類名】明細書
【補正対象項目名】００１０
【補正方法】変更
【補正の内容】
【００１０】
を示す。Ｒ９及びＲ１０は、それぞれ独立して、水素原子、炭素数１〜３のいずれかの置換または無置換のアルキル基、置換または無置換のアリール基、または、Ｒ９とＲ１０が結合することによって形成されるアルキリデン基を示す。）
該電荷輸送物質のガラス転移温度（Ｔｇ１）及び該バインダー樹脂のガラス転移温度（Ｔｇ２）が、下記式（Ａ）を満たす
−４０（℃）≦（Ｔｇ２−Ｔｇ１）≦５５（℃）      （Ａ）
ことを特徴とする電子写真感光体である。
【手続補正５】
【補正対象書類名】明細書
【補正対象項目名】００１２
【補正方法】変更
【補正の内容】
【００１２】
［２］前記電荷輸送物質のガラス転移温度（Ｔｇ１）及び前記バインダー樹脂のガラス転移温度（Ｔｇ２）が、下記式（Ｂ）を満たす
−２０（℃）≦（Ｔｇ２−Ｔｇ１）≦４０（℃）      （Ｂ）
上記［１］に記載の電子写真感光体。
【手続補正６】
【補正対象書類名】明細書
【補正対象項目名】００１３
【補正方法】変更
【補正の内容】
【００１３】
［３］前記電荷輸送物質のガラス転移温度（Ｔｇ１）が１４０℃以上である上記［１］または［２］に記載の電子写真感光体。
【手続補正７】
【補正対象書類名】明細書
【補正対象項目名】００１４
【補正方法】変更
【補正の内容】
【００１４】
［４］前記電荷輸送物質が、下記式（１）で示される繰り返し構造単位を有している上記［１］〜［３］のいずれかに記載の電子写真感光体。
【手続補正８】
【補正対象書類名】明細書
【補正対象項目名】００１６
【補正方法】変更
【補正の内容】
【００１６】
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【手続補正９】
【補正対象書類名】明細書
【補正対象項目名】００２０
【補正方法】変更
【補正の内容】
【００２０】
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【手続補正１０】
【補正対象書類名】明細書
【補正対象項目名】００２１
【補正方法】変更
【補正の内容】
【００２１】
［５］前記電荷輸送物質の分子量または重量平均分子量（Ｍｗ）が１５００以上５５００以下である上記［１］〜［４］のいずれかに記載の電子写真感光体。
【手続補正１１】
【補正対象書類名】明細書
【補正対象項目名】００２３
【補正方法】変更
【補正の内容】
【００２３】
また、本発明は、
［７］上記［１］〜［６］のいずれかに記載の電子写真感光体と、帯電手段、現像手段およびクリーニング手段からなる群より選ばれた少なくとも１つの手段とを一体に支持し、電子写真装置本体に着脱自在であることを特徴とするプロセスカートリッジである。
【手続補正１２】
【補正対象書類名】明細書
【補正対象項目名】００２４
【補正方法】変更
【補正の内容】
【００２４】
更に、本発明は、
［８］上記［１］〜［６］のいずれかに記載の電子写真感光体、帯電手段、露光手段、現像手段および転写手段を有することを特徴とする電子写真装置である。
【手続補正１３】
【補正対象書類名】明細書
【補正対象項目名】００２６
【補正方法】変更
【補正の内容】
【００２６】
本発明の電子写真感光体において、電荷輸送物質のガラス転移温度（Ｔｇ１）及びバインダー樹脂のガラス転移温度（Ｔｇ２）が、下記式（Ａ）
−４０（℃）≦（Ｔｇ２−Ｔｇ１）≦５５（℃）      （Ａ）
を満し、かつ、特定の繰り返し構造単位を有するポリアリレート樹脂を用いることで、電荷輸送物質とバインダー樹脂との相溶性が良好になり、相分離が生じず、耐摩耗性、傷の発生を抑える効果が顕著に発揮される。好ましくは、下記式（Ｂ）を満たし、
−２０（℃）≦（Ｔｇ２−Ｔｇ１）≦４０（℃）      （Ｂ）
より好ましくは、下記式（Ｃ）を満たすことである。
−２０（℃）≦（Ｔｇ２−Ｔｇ１）≦２０（℃）      （Ｃ）
【手続補正１４】
【補正対象書類名】明細書
【補正対象項目名】００３０
【補正方法】変更
【補正の内容】
【００３０】
（式（１）中、Ａｒ１１は、置換または無置換の１価の芳香族炭化水素環基、または、置換または無置換の１価の芳香族複素環基を示す。Ａｒ１２は、下記式（２）、下記式（２）’および下記式（２）’’からなる群より選択される式で示される構造を有する２価の基を示す。
【手続補正１５】
【補正対象書類名】明細書
【補正対象項目名】００３４
【補正方法】変更
【補正の内容】
【００３４】
（式（２）中、Ａｒ２１およびＡｒ２２は、それぞれ独立に、置換または無置換の３価の芳香環基、または、置換または無置換の３価の複素環基を示す。Ａ２１、Ａ２２は、それぞれ独立に、単結合、あるいは水素、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃは、０または１を示す。
式（２）’中、Ａｒ２１’およびＡｒ２２’は、それぞれ独立に、置換または無置換の２価の芳香環基、または、置換または無置換の２価の複素環基を示す。Ａ２１’は、水素原子、置換または無置換のアルキレン基、置換または無置換のアリーレン基、置換または無置換のアルキレンオキシ基、電子吸引基を有する１４族元素、電子吸引基を有する１５族元素、あるいは、１６族元素を示す。ｃ’は、１を示す。
式（２）’’中、Ａｒ２１’’は、置換または無置換の２価の芳香環基、または、置換または無置換の２価の複素環基を示す。ｃ’’は、１以上の整数を示す。ただし、ｃ’’が２以上のとき、２つ以上のＡｒ２１’’は同一であっても異なっていてもよい。））
【手続補正１６】
【補正対象書類名】明細書
【補正対象項目名】００５４
【補正方法】変更
【補正の内容】
【００５４】
（式（ＰＡ）中、Ｒ１〜Ｒ８は、それぞれ独立して、水素原子、炭素数１〜３のいずれかの置換または無置換のアルキル基、置換または無置換のフェニル基、または、炭素数１〜３のいずれかの置換または無置換のアルコキシ基を示す。ただし、Ｒ１〜Ｒ４のうち少なくとも１つはアルキル基を示す。Ｘは、単結合、酸素原子、硫黄原子、または、
【手続補正１７】
【補正対象書類名】明細書
【補正対象項目名】００５６
【補正方法】変更
【補正の内容】
【００５６】
を示す。Ｒ９及びＲ１０は、それぞれ独立して、水素原子、炭素数１〜３のいずれかの置換または無置換のアルキル基、置換または無置換のアリール基、または、Ｒ９とＲ１０が結合することによって形成されるアルキリデン基を示す。）